(57)【要約】【課題】光ディスク装置において、複数の対物レンズのクリーニングを連続的に短時間に行えるようにする。【解決手段】赤系レーザ用対物レンズ、青系レーザ用対物レンズなど複数の対物レンズを１つの光ピックアップ上の異なるディスク半径位置に配置し、クリーニング用のブラシを備えたクリーニング用光ディスクが装着された状態で、光ピックアップの移動により上記複数の対物レンズを順次上記ブラシに当接可能にし、該クリーニング用光ディスクの記録データを再生可能なレーザ光に対応する対物レンズについては、該レーザ光を該クリーニング用光ディスクのディスク面に照射した状態でレンズ面のクリーニングを行い、他の対物レンズについては該レンズに対応するレーザ光を照射しない状態でレンズ面のクリーニングを行う。【選択図】図２
2008097692.tif 000002
【特許請求の範囲】
【請求項１】
レンズクリーニング用のブラシをディスク面に備えたクリーニング用光ディスクを回転させ、光ピックアップの対物レンズのクリーニングを行う光ディスク装置であって、
上記クリーニング用光ディスクを回転駆動するスピンドルモータと、
スライドモータでリードスクリューを回転させ上記光ピックアップを上記クリーニング用光ディスクの略半径方向に移動させる移動・案内機構部と、
上記スピンドルモータ及び上記スライドモータを駆動するモータ駆動回路と、
上記光ピックアップ内において異なる波長帯域のレーザ光を生成し出射する複数のレーザダイオードと、
上記複数のレーザダイオードをそれぞれ個別に駆動するレーザ駆動回路と、
上記光ピックアップ内において上記クリーニング用光ディスクの半径方向の異なる位置に配され、上記各レーザダイオードから出射されるレーザ光を集光して該クリーニング用光ディスクのデータ記録面に照射する複数の対物レンズと、
入力される信号によって上記クリーニング用光ディスクの装着を検知するとともに、上記モータ駆動回路及び上記レーザ駆動回路を制御する制御部と、
を備え、上記クリーニング用光ディスクが装着された状態で、上記光ピックアップの移動により上記複数の対物レンズを順次上記ブラシに当接可能にし、該クリーニング用光ディスクの記録データを再生可能なレーザ光に対応する対物レンズについては、該レーザ光を該クリーニング用光ディスクのディスク面に照射した状態でレンズ面のクリーニングを行い、他の対物レンズについてはレーザ光を照射しない状態でレンズ面のクリーニングを行う構成としたことを特徴とする光ディスク装置。
【請求項２】
上記制御部は、上記クリーニング用光ディスクが回転されるとき、上記複数の対物レンズのうち、上記クリーニング用光ディスクの記録データを再生可能な第１のレーザ光に対応する第１の対物レンズのレンズ面が、該記録データが記録された領域の位置にあるときは、該第１の対物レンズに対応するレーザダイオードからの該第１のレーザ光を出射状態として記録データの再生を行わせながら、該第１の対物レンズのレンズ面を上記ブラシに当接させてクリーニングを行わせ、また、上記クリーニング用光ディスクの記録データを再生不可能な第２のレーザ光に対応する第２の対物レンズのレンズ面が、該クリーニング用光ディスクの上記ブラシに当接可能な位置にあるときは、予め、該第２の対物レンズに対応するレーザダイオードから該第２のレーザ光が出射されない状態にしておき、該状態下で、上記ブラシによりそのレンズ面のクリーニングを行わせるように、上記モータ駆動回路及び上記レーザ駆動回路を制御する構成である請求項１に記載の光ディスク装置。
【請求項３】
上記複数の対物レンズは、上記装着されたクリーニング用光ディスクの半径方向の１つの直線上に配されている請求項１に記載の光ディスク装置。
【請求項４】
上記複数のレーザダイオードは、上記第１のレーザ光としての赤系レーザ光を生成する赤系レーザダイオードと、上記第２のレーザ光としての青系レーザ光を生成する青系レーザダイオードであり、上記複数の対物レンズは、上記第１の対物レンズが上記赤系レーザ光を集光し、上記第２の対物レンズが上記青系レーザ光を集光し、かつ、上記クリーニング用光ディスクは、上記赤系レーザ光で再生される記録データを備える構成である請求項２に記載の光ディスク装置。
【請求項５】
上記制御部は、上記第１の対物レンズのクリーニング後、上記モータ駆動回路を制御して、上記第１、第２の対物レンズ間の距離に対応し予め設定されている数の駆動パルスにより上記スライドモータを駆動させ、上記光ピックアップを、上記第１の対物レンズがクリーニングされた位置から上記第２の対物レンズがクリーニングされる位置まで移動させる構成である請求項２に記載の光ディスク装置。
【請求項６】
クリーニング用光ディスクを回転させ、光ピックアップの複数の対物レンズのクリーニングを行う光ディスク装置の対物レンズのクリーニング方法であって、
上記クリーニング用光ディスクの装着を検知する第１のステップと、
上記光ピックアップの移動により、上記複数の対物レンズのうち上記クリーニング用光ディスクの記録データを再生可能なレーザ光に対応する第１の対物レンズを、該記録データが記録された領域の位置まで移動させる第２のステップと、
上記第２のステップで上記第１の対物レンズを移動させた位置で、上記クリーニング用光ディスクの回転状態において該第１の対物レンズに対応するレーザ光により上記記録データを再生しながら、上記第１の対物レンズのレンズ面を上記ブラシに当接させてクリーニングする第３のステップと、
上記レーザ光の出力をＯＦＦするとともに、上記第１の対物レンズによる上記データ再生を終了し、該第１の対物レンズのレンズ面のクリーニングを終了する第４のステップと、
上記光ピックアップの移動により、上記複数の対物レンズのうち上記クリーニング用光ディスクの記録データを再生不可能なレーザ光に対応する対物レンズであって、上記第１の対物レンズに対し上記クリーニング用光ディスクの半径方向の異なる位置に配された第２の対物レンズを、そのレンズ面が該クリーニング用光ディスクの上記ブラシに当接可能となる位置まで移動させる第５のステップと、
上記第５のステップで上記第２の対物レンズを移動させた位置で、上記クリーニング用光ディスクの回転状態において、該第２の対物レンズに対応するレーザ光も出力ＯＦＦ状態のまま、該第２の対物レンズのレンズ面を上記ブラシに当接させてクリーニングする第６のステップと、
予め設定した時間が経過した後、上記第２の対物レンズのクリーニングを終了させ、上記クリーニング用光ディスクの回転を停止させる第７のステップと、
を経て、上記装着した１つのクリーニング用光ディスクにより、上記複数の対物レンズのレンズ面を順次クリーニングすることを特徴とする光ディスク装置の対物レンズのクリーニング方法。
【発明の詳細な説明】
【技術分野】
【０００１】
本発明は、光ディスク装置において、光ピックアップの対物レンズをクリーニングする技術に関する。
【背景技術】
【０００２】
従来より、光ディスク装置の光ピックアップの対物レンズをクリーニングするためのクリーニング専用ディスクが市販されている。このクリーニング専用ディスク（以下、クリーニング用光ディスクという）は、赤系レーザ光を用いてＣＤやＤＶＤなどの赤系レーザ用光ディスクに記録または再生を行う光ピックアップの対物レンズ（以下、赤系レーザ用対物レンズという）をクリーニングするためのもので、ディスクの所定の半径位置に再生用データが記録された記録エリアを有し、該記録エリア上にはレンズクリーニング用のブラシが１個設けられた構成となっている。対物レンズのクリーニング時は、このクリーニング用光ディスクを回転させ、記録エリアの再生用データを再生しながら、ブラシを対物レンズのレンズ面に接触させてレンズ面から埃や汚れなどを除去するようにしている。
【０００３】
また、光ピックアップの対物レンズのクリーニングに関する従来技術であって、文献に記載された技術としては、例えば、特許第３６７７３７０号明細書（特許文献１）や、特開２００２−９２９２０号公報（特許文献２）や、特開２００６−１６４４８２号公報（特許文献３）や、特開２００５−１２９１６９号公報（特許文献４）に記載されたものがある。特許第３６７７３７０号明細書には、光ディスク装置用レンズクリーナーとして、光ピックアップの対物レンズの、クリーニング用のディスク（クリーニング用光ディスク）側への引きつけ効果を高めるために、対物レンズと対向する該ディスクのディスク面に、クリーニング部材と併せその付近に、レンズホルダーを引きつけるための磁性体を設けるとした構成が記載され、特開２００２−９２９２０号公報には、光ディスク装置用レンズクリーナにおいて、ピックアップレンズの損傷を回避しながら所望のクリーニングを行えるようにするために、クリーニング用プログラムデータに、ピックアップレンズのクリーニング中、ディスク（クリーニング用光ディスク）の回転駆動を解除して惰性で回転させるプログラムデータを含ませ、ディスクの高速回転時はレンズの損傷防止を図り、ディスクの低速回転化に伴ってクリーニング効率を向上させるとした技術が記載され、特開２００６−１６４４８２号公報には、光ピックアップの対物レンズのクリーニング技術として、クリーニングディスク（クリーニング用光ディスク）に、クリーニング部材を設けるとともにプログラムエリアを形成し、該プログラムエリアには対物レンズの汚れ度合いに応じたクリーニングモードを選択するプログラムを記録し、該モードの選択により該対物レンズを、該クリーニングディスクの内周から外周へ及び外周から内周へと往復させてクリーニングを行うとした技術が記載され、また、特開２００５−１２９１６９号公報には、光ピックアップのクリーニング装置として、ターンテーブルにブラシやファン等のクリーニング手段を設け、ターンテーブルの回転により、光ピックアップの対物レンズのクリーニングを行うとした技術が記載されている。
【０００４】
【特許文献１】特許第３６７７３７０号明細書
【特許文献２】特開２００２−９２９２０号公報
【特許文献３】特開２００６−１６４４８２号公報
【特許文献４】特開２００５−１２９１６９号公報
【発明の開示】
【発明が解決しようとする課題】
【０００５】
近年、光ディスク装置として、１つの光ピックアップ上に複数の対物レンズを搭載する２つの対物レンズすなわち、上記赤系レーザ用対物レンズと、青系レーザ光を用いてＢＤ（Ｂｌｕ−ｒａｙ  Ｄｉｓｃ）やＨＤ−ＤＶＤなどの青系レーザ用光ディスクに記録または再生を行う対物レンズ（以下、青系レーザ用対物レンズという）とを光ピックアップに搭載した２レンズ方式のものの開発が進められ、既に製品化され始めている。しかしながら、現状の２レンズ方式のものにおいて、これら２つの対物レンズをクリーニングする技術に関しては、クリーニングの所要時間の短縮化等の点を含めまだ改善の余地が大きいと考えられる。また、上記各公報記載の技術は、１つの対物レンズのクリーニングを行うための技術であると考えられ、複数の対物レンズのクリーニング技術として適用した場合にはやはり、クリーニングのための所要時間が長くなることなどが予想される。
【０００６】
本発明の課題点は、上記従来技術の現状に鑑み、赤系レーザ用対物レンズ、青系レーザ用対物レンズなど複数の対物レンズが１つの光ピックアップ上に搭載された構成の光ディスク装置において、該複数の対物レンズのクリーニングを、１つのクリーニング用光ディスクを装着した状態で連続して短時間に行えるようにし、現状の市販のクリーニング用光ディスクでも適用可能にすることである。
本発明の目的は、かかる課題点を解決して、使い勝手の良い複数レンズ方式の光ディスク装置を提供することにある。
【課題を解決するための手段】
【０００７】
上記課題点を解決するために、本発明では、光ディスク装置において、赤系レーザ用対物レンズ、青系レーザ用対物レンズなど複数の対物レンズを１つの光ピックアップ上の異なるディスク半径位置に配置し、クリーニング用のブラシを備えたクリーニング用光ディスクが装着された状態で、光ピックアップの移動により上記複数の対物レンズを順次上記ブラシに当接可能にし、該クリーニング用光ディスクの記録データを再生可能なレーザ光に対応する対物レンズについては、該レーザ光を該クリーニング用光ディスクのディスク面に照射した状態でレンズ面のクリーニングを行い、他の対物レンズについては該レンズに対応するレーザ光を照射しない状態でレンズ面のクリーニングを行う。
【発明の効果】
【０００８】
本発明によれば、光ディスク装置において、複数の対物レンズのクリーニングを容易に行うことができる。
【発明を実施するための最良の形態】
【０００９】
以下、本発明の実施形態につき、図面を用いて説明する。
図１〜図６は、本発明の実施形態の説明図である。図１は、本発明の実施形態としての光ディスク装置の構成のブロック図、図２は、図１の光ディスク装置の斜視図、図３は、図２の構成をシャーシ裏面側から見た図、図４は、図１の光ディスク装置におけるクリーニング時の対物レンズ移動の説明図、図５は、図１の光ディスク装置におけるクリーニング動作フローを示す図、図６は、従来の光ディスク装置におけるクリーニング動作フローを示す図である。
【００１０】
図１において、１は、本発明の実施例としての光ディスク装置、２はクリーニング用光ディスク、３は、クリーニング用光ディスク２を回転駆動するスピンドルモータ、４は光ピックアップ、５ａは第１の対物レンズ、５ｃは第２の対物レンズ、６ａは、第１のレーザ光としてＣＤ用赤系レーザ光を生成する赤系レーザダイオード（ＣＤ用赤系レーザダイオード）、６ｂは、第１のレーザ光としてのＤＶＤ用赤系レーザ光を生成する赤系レーザダイオード（ＤＶＤ用赤系レーザダイオード）、６ｃは、第１のレーザ光とは異なる波長帯域の第２のレーザ光としてのＢＤ用青系レーザ光を生成する青系レーザダイオード（ＢＤ用青系レーザダイオード）、７は、赤系レーザダイオード６ａ、６ｂ及び青系レーザダイオード６ｃを駆動するレーザ駆動回路、８は、第１の対物レンズ５ａを介し、クリーニング用光ディスク２のデータ記録部からの反射レーザ光を受光し電気信号に変換して出力する受光部としてのフォトデテクタ、９は、フォトデテクタ８からの信号を増幅するなどアナログ信号処理するアナログフロントエンド、１０は、直線状のガイド部材（図示なし）やリードスクリュー部材（図示なし）などを備えて構成され、光ピックアップ４をクリーニング用光ディスク２の略半径方向に移動させる移動・案内機構部、１１は、移動・案内機構部１０内にあってリードスクリュー部材（図示なし）を回転駆動するスライドモータ、１２は、スピンドルモータ３やスライドモータ１１などを駆動するモータ駆動回路、１４は記録信号を生成する記録信号生成部、１６は、フォトデテクタ８からの再生信号を、ＲＦ信号や、トラッキング誤差信号や、フォーカス誤差信号として処理する再生・誤差信号処理部、１７は、光ピックアップ４内にあって、第１の対物レンズ５ａ及び第２の対物レンズ５ｃを駆動しその位置や姿勢を変化させるアクチュエータ、１８は、アクチュエータ１７を駆動するアクチュエータ駆動回路、１９は、フォーカス制御用信号やトラッキング制御用信号を生成し出力するフォーカス・トラッキング制御部、２０は、モータ駆動回路１２や、レーザ駆動回路７や、記録信号生成部１４や、再生・誤差信号処理部１６などを制御するとともに、入力される信号によって上記クリーニング用光ディスク２の装着を検知する制御部、３０は、制御部２０が制御を行うための情報を記憶するメモリ、５０はインターフェース、６０はホストコンピュータ、７０は、クリーニング用光ディスク２のディスク面の所定位置に取付けられたブラシである。スライドモータ１１にはステッピングモータを用いるとする。
【００１１】
上記フォトデテクタ８は、光ディスク装置１に記録または再生用の光ディスク（図示なし）が装着されている場合には、上記第１の対物レンズ５ａまたは上記第２の対物レンズ５ｃを介し、該光ディスクの記録面からの反射レーザ光を受光し電気信号に変換して出力する。すなわち、ＣＤやＤＶＤなどの赤系レーザ用ディスクにデータを記録する場合は、第１の対物レンズ５ａを介し、赤系レーザ光の反射光を受光し電気信号に変換して出力し、ＢＤやＨＤ−ＤＶＤなどの青系レーザ用光ディスクにデータを記録または再生する場合は、青系レーザ光の反射光を受光し電気信号に変換して出力する。
【００１２】
第１の対物レンズ５ａ及び第２の対物レンズ５ｃは、光ピックアップ４上において、装着された上記クリーニング用光ディスク２の中心を通る半径方向の１つの直線上にあって、互いに該クリーニング用光ディスク２の異なる半径位置に配されている。本実施形態では、第１の対物レンズ５ａをクリーニング用光ディスク２の小半径位置側に配し、第２の対物レンズ５ｃを大半径位置側に配してある。該第１の対物レンズ５ａ及び該第２の対物レンズ５ｃは、いずれが小半径位置側または大半径位置側に配されてもよい。本実施形態の光ディスク装置１においては、クリーニング用光ディスク２として、ＤＶＤのデータが記録されているもの（以下、ＤＶＤクリーニングディスクという）を用いるとする。このため、第１の対物レンズ５ａは、赤系レーザダイオード６ｂから出射される赤系レーザ光を集光して該クリーニング用光ディスク２のデータ記録部に照射する。また、第２の対物レンズ５ｃは、光ディスク装置１に記録または再生用の青系レーザ用光ディスク（図示なし）が装着されている場合に、上記青系レーザダイオード６ｃから出射される青系レーザ光を集光して該記録または再生用の光ディスクのデータ記録面に照射する。ブラシ７０はクリーニング用光ディスク２のデータ記録部内に設けられているとする。
【００１３】
レーザ駆動回路７は、制御部２０からの制御信号に基づき、赤系レーザダイオード６ａ、赤系レーザダイオード６ｂまたは青系レーザダイオード６ｃをそれぞれ個別に駆動する。対物レンズのクリーニング時は、クリーニング用光ディスク２としてのＤＶＤクリーニングディスクに対応して、赤系レーザダイオード６ｂを駆動し、赤系レーザダイオード６ａ及び青系レーザダイオード６ｃは駆動しない。すなわち、第１の対物レンズ５ａをクリーニングする時に赤系レーザダイオード６ｂだけを駆動し、第２の対物レンズ５ｃをクリーニングする時は、青系レーザダイオード６ｃも駆動しないし、赤系レーザダイオード６ａも赤系レーザダイオード６ｂも駆動しない。
【００１４】
ホストコンピュータ６０は、クリーニング用光ディスク２が第１の対物レンズ５ａ及び第２の対物レンズ５ｃのクリーニングのために光ディスク装置１に装着されていることまたは装着されたことを制御部２０に検知させる信号を、インターフェース５０を介して該制御部２０側に送信する。制御部２０は、該送信された信号を受信して、クリーニング用光ディスク２の装着を検知する。
【００１５】
制御部２０は、例えば、マイコンやＤＳＰ（Ｄｉｇｉｔａｌ  Ｓｉｇｎａｌ  Ｐｒｏｃｅｓｓｏｒ）などによって構成される。対物レンズのクリーニングを行うとき、該制御部２０は、上記ホストコンピュータ６０からの信号に基づきクリーニング用光ディスク２の装着を検知すると、モータ駆動回路１２を制御して、スピンドルモータ３を回転させ、クリーニング用光ディスク２を所定速度で回転させるとともに、スライドモータ１１を回転させ、移動・案内機構部１０を駆動させて光ピックアップ４を移動させ、第１の対物レンズ５ａを、記録データが記録された領域の位置まで移動させる。さらに、制御部２０は、第１の対物レンズ５ａを移動させた位置で、レーザ駆動回路７を介して赤系レーザダイオード６ｂを駆動し、光ディスク装置１に記録データの再生を行わせるとともに、該第１の対物レンズ５ａのレンズ面をブラシ７０に当接させてクリーニングを行わせる。第１の対物レンズ５ａのレンズ面のクリーニングが終了すると、制御部２０は、赤系レーザダイオード６ｂの駆動をＯＦＦしてレーザ光の出力をＯＦＦし、第２の対物レンズ５ｃのクリーニングのための動作に入る。すなわち、制御部２０は、スライドモータ１１を回転させ、移動・案内機構部１０を駆動させて光ピックアップ４を移動させ、第２の対物レンズ５ｃを、そのレンズ面がクリーニング用光ディスク２のブラシ７０に当接可能となる位置まで移動させる。該位置で、制御部２０は、赤系レーザダイオード６ａ、６ｂからのレーザ光の出力も、青系レーザダイオード６ｃからのレーザ光の出力もいずれもＯＦＦ状態にしたまま、クリーニング用光ディスク２を、予め設定された一定の時間にわたり回転させ、該第２の対物レンズ５ｃのレンズ面をブラシ７０に当接させてクリーニングを行わせる。該予め設定された一定の時間についての情報は、予めメモリ３０内に記憶されている。
【００１６】
以下、説明中または図中で用いる図１の光ディスク装置１における構成要素には、図１の場合と同じ符号を付して用いるとする。また、以下の図中で用いる座標系も図１の場合と同じ座標系を用いるものとする。
【００１７】
図２は、図１の光ディスク装置１の斜視図である。
図２において、３１は、スピンドルモータ３の回転軸上に設けられたターンテーブル、３５は、クリーニング用光ディスク２をターンテーブル３１との間にクランプするクランパ、Ｃ−Ｃ'は、スピンドルモータ３の回転中心軸（＝クリーニング用光ディスク２の回転中心軸）、１０１ａは、移動・案内機構部１０の一部を構成する直線状のガイド部材のうち、光ピックアップ４に対しリードスクリュー（図示なし）側に設けられる主ガイド部材、１０１ｂは、同じく移動・案内機構部１０の一部を構成する直線状のガイド部材のうち、光ピックアップ４に対し主ガイド部材１０１ａと反対側に設けられる副ガイド部材、９０は、スピンドルモータ３や移動・案内機構部１０などが固定される装置基台としてのシャーシ、ｑ−ｑ'は、スピンドルモータ３の回転中心軸Ｃ−Ｃ'を通るクリーニング用光ディスク２の半径方向の直線であって、光ピックアップ４の移動方向Ｅと一致する直線である。光ピックアップ４の移動方向Ｅは、Ｙ軸方向または−Ｙ軸方向と一致する。他の符号は、図１の場合と同様である。第１の対物レンズ５ａと第２の対物レンズ５ｃは、光ピックアップ４上において、ターンテーブル３１上に装着された上記クリーニング用光ディスク２の中心すなわちスピンドルモータ３の回転中心軸Ｃ−Ｃ'を通る半径方向の直線ｑ−ｑ'上にあって、互いに該クリーニング用光ディスク２の異なる半径位置に配されている。
【００１８】
図３は、図２の光ディスク装置１の構成をシャーシ裏面側から見たときの斜視図である。
図３において、１０２は、移動・案内機構部１０の一部を構成するリードスクリュー部材、１０３は、光ピックアップ４に取付けられリードスクリュー部材１０２に係合するガイドフィード部材、７０は、クリーニング用光ディスク２のディスク面の所定位置（半径ｒ０の位置）において、−Ｚ軸方向に突出して設けられたブラシである。リードスクリュー部材１０２は、表面にねじが設けられ、スライドモータ１１により回転駆動される。ガイドフィード部材１０３は、その一部がリードスクリュー部材１０２の該ねじに係合している。第１、第２の対物レンズ５ａ、５ｃを移動させるために光ピックアップ４をＥ方向に移動させるとき、スライドモータ１１によりリードスクリュー部材１０２を回転させ、表面のねじが回転することで該ねじに係合している上記ガイドフィード部材１０３をＥ方向に移動させる。
【００１９】
図４は、図１の光ディスク装置１におけるクリーニング時の対物レンズ移動の説明図である。（ａ）は、第１の対物レンズ５ａをクリーニングのためにブラシ７０と当接可能な位置に移動させた場合、（ｂ）は、第２の対物レンズ５ｃをクリーニングのためにブラシ７０と当接可能な位置に移動させた場合をそれぞれ示す。
図４において、ｒ０はブラシ７０の半径位置であってかつ第１の対物レンズ５ａが該ブラシ７０に当接可能な位置にあるときの該第１の対物レンズ５ａの半径位置、ｒ１は、第１の対物レンズ５ａがブラシ７０に当接可能な半径位置（＝ブラシ７０の半径位置ｒ０）あるときの第２の対物レンズ５ｃの半径位置、ｒ２は、第２の対物レンズ５ｃがブラシ７０に当接可能な半径位置（＝ブラシ７０の半径位置ｒ０）にあるときの第１の対物レンズ５ａの半径位置、ｄは、第１の対物レンズ５ａと第２の対物レンズ５ｃとの間の半径方向（＝Ｙ軸方向）の距離である（ｄ＝ｒ１−ｒ０＝ｒ０−ｒ２）。該距離ｄは、例えば５×１０−３ｍ程度とする。（ａ）において、第１の対物レンズ５ａは、クリーニング用光ディスク２の回転によりレンズ面がブラシ７０に当接してクリーニングされる。第１の対物レンズ５ａのクリーニング終了後は、制御部２０がスライドモータ１１を回転させてリードスクリュー部材１０２を回転させ、ガイドフィード部材１０３を介して光ピックアップ４をＥｉ方向（−Ｙ軸方向）に距離ｄだけ移動させる。このとき、制御部２０は、モータ駆動回路１２を制御して、上記第１、第２の対物レンズ間の上記距離ｄに対応し予め設定されている数の駆動パルスによりスライドモータ１１を駆動させ、光ピックアップ４を移動させる。光ピックアップ４は、該移動により、第１の対物レンズ５ａがクリーニングされた位置（（ａ））から第２の対物レンズ５ｃがクリーニングされる位置まで移動される（（ｂ））。また、第１の対物レンズ５ａのクリーニング終了した時には、光ピックアップ４の移動に先立ち、赤系レーザダイオード６ａ、６ｂからのレーザ光の出力も、青系レーザダイオード６ｃからのレーザ光の出力もいずれもＯＦＦ状態とされる。
【００２０】
図５は、図１の光ディスク装置１におけるクリーニング動作フローを示す図、図６は、従来の光ディスク装置におけるクリーニング動作フローを示す図である。
図５において、
（１）光ディスク装置１がクリーニング動作を開始する（ステップＳ５０１）。
（２）光ディスク装置１に、クリーニング用光ディスク２としてのＤＶＤクリーニングディスクがセット（装着）される（ステップＳ５０２）。
（３）制御部２０は、インターフェース５０を介してホストコンピュータ６０からの信号を受信し、クリーニング用光ディスク２の装着すなわち装着されている光ディスクはクリーニング用光ディスク２としてのＤＶＤクリーニングディスクであることを検知する（ステップＳ５０３）。
（４）制御部２０は、モータ駆動回路１２を制御して、スピンドルモータ３を回転させ、クリーニング用光ディスク２としてのＤＶＤクリーニングディスクを所定速度で回転させるとともに、スライドモータ１１を回転させ、移動・案内機構部１０を駆動させて光ピックアップ４を移動させ、第１の対物レンズ５ａを、ＤＶＤクリーニングディスクの記録データが記録された領域の半径位置まで移動させる（ステップＳ５０４）。
（５）制御部２０は、第１の対物レンズ５ａを移動させた位置で、レーザ駆動回路７を介して赤系レーザダイオード６ｂを駆動し、光ディスク装置１に記録データの再生を行わせるとともに、該第１の対物レンズ５ａのレンズ面をブラシ７０に当接させクリーニングを行わせる（ステップＳ５０５）。
（６）記録データの再生を終了するとともに、第１の対物レンズ５ａのレンズ面のクリーニングを終了する（ステップＳ５０６）。
（７）制御部２０は、レーザ駆動回路７を制御して赤系レーザダイオード６ｂの駆動をＯＦＦしレーザ光の出力をＯＦＦする（ステップＳ５０７）。
（８）制御部２０は、モータ駆動回路１２を制御してスライドモータ１１を回転させ、移動・案内機構部１０を駆動させて光ピックアップ４を移動させ、第２の対物レンズ５ｃ（ＢＤレンズ）を、そのレンズ面がＤＶＤクリーニングディスクのブラシ７０に当接可能となる位置まで移動させる（ステップＳ５０８）。
（９）制御部２０は、ブラシ７０が、ＤＶＤクリーニングディスクの回転によって第２の対物レンズ５ｃ（ＢＤレンズ）に当接（接触）しているか否かを判別する（ステップＳ５０９）。
（１０）ステップＳ５０９における判別の結果、ブラシ７０が第２の対物レンズ５ｃ（ＢＤレンズ）に当接している場合は、制御部２０は、いずれのレーザダイオードのレーザ光出力もＯＦＦ状態としたまま、ＤＶＤクリーニングディスクを予め設定された一定時間回転させ、該第２の対物レンズ５ｃ（ＢＤレンズ）のクリーニングを行う（ステップＳ５１０）。
（１１）制御部２０は、上記一定時間が経過した時点で第２の対物レンズ５ｃ（ＢＤレンズ）のクリーニングを終了させる（ステップＳ５１１）。
（１２）制御部２０は、モータ駆動回路１２を制御して、ＤＶＤクリーニングディスクの回転を停止させ、該ＤＶＤクリーニングディスクの装着を解除し、該ＤＶＤクリーニングディスクを光ディスク装置１の外部に取出す（ステップＳ５１２）。
（１３）ＤＶＤクリーニングディスクによる第１の対物レンズ５ａ及び第２の対物レンズ５ｃのクリーニング動作を終了する（ステップＳ５１３）。
（１４）上記ステップＳ５０９における判別の結果、ブラシ７０が第２の対物レンズ５ｃ（ＢＤレンズ）に当接していない場合は、制御部２０は、ステップＳ５０８に戻って光ピックアップ４を移動させ、第２の対物レンズ５ｃ（ＢＤレンズ）を移動させる。
なお、上記ステップＳ５０１〜ステップＳ５１３の一連の手順は、プログラムとしてメモリ３０内に記憶されている。制御部２０は、該プログラムに従って該一連の手順を自動的に実行する。
【００２１】
これに対し、ＤＶＤクリーニングディスクを用いた従来のクリーニングの場合は、図６に示すように、光ディスク装置がクリーニング動作を開始し（ステップＳ６０１）、ＤＶＤクリーニングディスクがセット（装着）された（ステップＳ６０２）後、ＤＶＤクリーニングディスクの検知はせずに、光ピックアップを移動させ、該光ピックアップ上に１個だけ設けられた赤系レーザ光用対物レンズ（第１の対物レンズ５ａに相当）を、ＤＶＤクリーニングディスクの記録データが記録された領域の半径位置まで移動させ（ステップＳ６０３）、該記録データの再生動作を行いながら、該領域内に設けられたブラシにより該赤系レーザ光用対物レンズのレンズ面のクリーニングを行う（ステップＳ６０４）。）さらに、記録データの再生の終了とともに、該赤系レーザ光用対物レンズのレンズ面のクリーニングを終了し（ステップＳ６０５）、該赤系レーザダイオードの駆動をＯＦＦしてレーザ光の出力をＯＦＦする（ステップＳ６０６）。その後、ＤＶＤクリーニングディスクの回転を停止させ、該ＤＶＤクリーニングディスクの装着を解除し、該ＤＶＤクリーニングディスクを光ディスク装置の外部に取出し（ステップＳ６０７）、クリーニング動作を終了する（ステップＳ６０８）。このように、従来は、単に、ＤＶＤクリーニングディスクの記録データの再生を行う中で赤系レーザ光用対物レンズのレンズ面をブラシに当接させて該レンズ面のクリーニングを行っている。ＤＶＤクリーニングディスクの装着の検知は行っていない。また、記録データの再生が終了し、レーザ光の出力をＯＦＦした後は、ＤＶＤクリーニングディスクの回転停止及び装置外への取出しの動作に遷移する。
【００２２】
上記説明した実施形態によれば、光ディスク装置１において、第１の対物レンズ５ａ及び第２の対物レンズ５ｃのクリーニングを、１つのＤＶＤクリーニングディスクを装着した状態で、連続して短時間に行うことが可能となる。また、ＤＶＤクリーニングディスクとしては、現在市販されているＤＶＤクリーニングディスクを用いることができ、赤系レーザ用対物レンズのクリーニングに対しては、現在の赤系レーザ用光ディスクにおける赤系レーザ用対物レンズのクリーニング技術を利用することができる。この結果、装置の使い勝手性を向上させることができる。
【００２３】
なお、上記実施形態では、上記制御部２０は、ホストコンピュータ６０からインターフェース５０を介して送信される信号を受信して、クリーニング用光ディスク２の装着を検知するとしたが、本発明はこれに限定されず、光ディスク装置１内において、例えばボタン操作などによって発生する指示信号などを受信してクリーニング用光ディスク２の装着を検知するようにしてもよいし、クリーニング用光ディスク２の記録データ内にディスク判別用データを記録しておいてもよい。また、上記実施形態では、対物レンズが２個の場合の例につき説明したが、本発明はこれに限定されず、対物レンズは３個以上であってもよい。また、制御部２０は、自己内部に記憶手段を備え、制御を行うための情報、例えば第１の対物レンズ５ａ及び第２の対物レンズ５ｃのクリーニングを行うための手順のプログラムや、第２の対物レンズ５ｃのクリーニング時間を規定する予め設定した一定時間についての情報などを自己内部に記憶するようにしたものであってもよい。
【図面の簡単な説明】
【００２４】
【図１】本発明の実施形態としての光ディスク装置の構成のブロック図である。
【図２】図１の光ディスク装置の斜視図である。
【図３】図２の構成をシャーシ裏面側から見た図である。
【図４】図１の光ディスク装置におけるクリーニング時の対物レンズ移動の説明図である。
【図５】図１の光ディスク装置におけるクリーニング動作フローを示す図である。
【図６】従来の光ディスク装置におけるクリーニング動作フローを示す図である。
【符号の説明】
【００２５】
１…光ディスク装置、
２…クリーニング用光ディスク、
３…スピンドルモータ、
４…光ピックアップ、
５ａ…第１の対物レンズ、
５ｃ…第２の対物レンズ、
６ａ…ＣＤ用赤系レーザダイオード、
６ｂ…ＤＶＤ用赤系レーザダイオード、
６ｃ…ＢＤ用青系レーザダイオード、
７…レーザ駆動回路、
８…フォトデテクタ、
９…ＡＦＥ、
１０…移動・案内機構部、
１１…スライドモータ、
１２…モータ駆動回路、
１４…記録信号生成部、
１６…再生・誤差信号処理部、
１７…アクチュエータ、
１８…アクチュエータ駆動回路、
１９…フォーカス・トラッキング制御部、
２０…制御部、
３０…メモリ、
３５…クランパ、
５０…インターフェース、
６０…ホストコンピュータ、
７０…ブラシ、
９０…シャーシ、
１０１ａ…主ガイド部材、
１０１ｂ…副ガイド部材、
１０２…リードスクリュー部材、
１０３…ガイドフィード部材。
【図１】
2008097692.tif 000003
【図２】
2008097692.tif 000004
【図３】
2008097692.tif 000005
【図４】
2008097692.tif 000006
【図５】
2008097692.tif 000007
【図６】
2008097692.tif 000008